(57)【要約】【課題】複数画面表示機能を備えた投写型映像表示装置において、複数の映像を同時に表示する際の画質の劣化を防止する。【解決手段】プロジェクタは、複数の映像信号供給装置から供給される複数の映像信号を、複数の入力ポートのそれぞれを介して入力する入力部９と、複数の映像信号のうちの１個の映像信号を選択して、１個の表示領域に、該１個の映像信号に基づく映像を表示する１画面表示モードと、複数の映像信号のうちの２個の映像信号を選択して、２個の表示領域のそれぞれに該２個の映像信号に基づく映像を表示する２画面表示モードとを有する表示部と、該表示部の動作モードが切替えられたときには、複数の映像信号に対応する複数のＥＤＩＤメモリ２０Ｄ，２０Ａにそれぞれ格納されているＥＤＩＤ情報を、切替え後の動作モードでの表示部の解像度情報を含むＥＤＩＤ情報にそれぞれ書き換えるための更新部とを備える。【選択図】図４
2011081188.tif 000002
【特許請求の範囲】
【請求項１】
ｎ（ｎは２以上の自然数）個の入力ポートを含み、ｎ個の映像信号供給装置から供給されるｎ個の映像信号を、前記ｎ個の入力ポートのそれぞれを介して入力する入力部と、
映像信号に基づく映像を表示するための動作モードとして、前記入力部が入力した前記ｎ個の映像信号のうちの１個の映像信号を選択して、１個の表示領域に、前記１個の映像信号に基づく映像を表示する１画面表示モードと、前記入力部が入力した前記ｎ個の映像信号のうちのｍ（ｍは２以上ｎ以下の自然数）個の映像信号を選択して、ｍ個の表示領域のそれぞれに、前記ｍ個の映像信号に基づく映像を表示するｍ画面表示モードとを有する表示部と、
前記表示部の動作モードを、前記１画面表示モードと前記ｍ画面表示モードとの間で切り替えるための切替部と、
ｎ個の映像信号に対応して、前記表示部の解像度情報を含むｎ個のＥＤＩＤ情報が書き込まれた不揮発性メモリと、
前記切替部によって前記表示部の動作モードが切り替えられたときには、前記不揮発性メモリに格納されているｎ個のＥＤＩＤ情報を、切替え後の動作モードでの前記表示部の解像度情報を含むｎ個のＥＤＩＤ情報にそれぞれ書き換えるための更新部とを備える、投写型映像表示装置。
【請求項２】
前記ｎ個の入力ポートのそれぞれが、ｎ個の伝送路を介して前記ｎ個の映像信号供給装置に接続されたときには、前記ｎ個の伝送路を介して、前記ｎ個の映像信号供給装置のそれぞれに、前記不揮発性メモリからの前記ｎ個のＥＤＩＤ情報の読み出しを指示するための通信部をさらに備え、
前記通信部は、前記切替部によって前記表示部の動作モードが切り替えられたときには、前記ｎ個の映像信号供給装置のそれぞれに、前記不揮発性メモリからの前記ｎ個のＥＤＩＤ情報の読み出しを指示する、請求項１に記載の投写型映像表示装置。
【発明の詳細な説明】
【技術分野】
【０００１】
この発明は、投写型映像表示装置に関し、より特定的には、同一の画面に複数の映像を同時に表示する投写型映像表示装置に関する。
【背景技術】
【０００２】
同一の画面に複数の映像を同時に表示する機能（以下、複数画面表示機能とも称する。）を備えた表示装置として、たとえば特開２００７−２９２８１１号公報（特許文献１）には、車両の車室内に設置され、画像を表示画面に表示する表示手段と、第１および第２の画像入力の解像度を検出する解像度検出手段とを備え、該解像度検出手段により検出された解像度情報に基づいて、第１の画像の水平および垂直のアスペクト比と第２の画像の水平および垂直のアスペクト比との差異が所定以下となるように第１および第２の解像度をそれぞれ変換する解像度変換による２画面合成処理を実行する構成が開示されている。
【０００３】
この特許文献１に示す表示装置では、従来の車載用の表示装置にあっては、２画面表示しようとする画像１と画像２とでアスペクト比が異なる場合に、単に画像１と画像２とを合成して２画面表示すると、アスペクト比が崩れ、かつ画像毎にその崩れ方が異なるために、２画面表示した画像に違和感があったところ、画像１のアスペクト比と画像２のアスペクト比との差異が所定以下となるように、それぞれの画像の解像度を変換することによって、２画面表示する場合に違和感のない画像を表示することを可能としている。
【先行技術文献】
【特許文献】
【０００４】
【特許文献１】特開２００７−２９２８１１号公報
【発明の概要】
【発明が解決しようとする課題】
【０００５】
上記の特許文献１に示す表示装置は、２画面合成処理として、画像２の垂直解像度を画像１の垂直解像度に合わせる解像度変換による２画面合成を行なって、解像度変換後の画像１と画像２を２画面表示する。
【０００６】
しかしながら、このような処理においては、画像１および画像２の少なくとも一方の解像度が、ディスプレイの表示可能な解像度と比較して著しく高い場合には、２画面表示での画像の縮小率が大きくなるため、画像本来の解像度を生かしきれず、画質が劣化するという不具合が生じる。
【０００７】
また、２画面表示においては、画像１および画像２の解像度の各々に対して、１画面あたりのディスプレイの解像度に適合させるための解像度変換が行なわれるが、この解像度変換処理には、画像データを一時的に記憶するためのメモリが必要とされる。このようなメモリは一定時間あたりに読み書きできるデータ量（メモリ帯域）が決まっているため、メモリ帯域以上の速度ではメモリに正確に読み書きすることができず、その結果、入力される映像信号の解像度には制限がかかってしまう。これにより、２つの画像がともに高解像度を有する信号である場合には、かかる制限を受けて映像を表示できないといった問題が生じる。
【０００８】
それゆえ、この発明は、かかる課題を解決するためになされたものであり、その目的は、複数画面表示機能を備えた投写型映像表示装置において、複数の映像を同時に表示する際の画質の劣化を防止することである。
【課題を解決するための手段】
【０００９】
この発明のある局面に従う投写型映像表示装置は、ｎ（ｎは２以上の自然数）個の入力ポートを含み、ｎ個の映像信号供給装置から供給されるｎ個の映像信号を、ｎ個の入力ポートのそれぞれを介して入力する入力部と、映像信号に基づく映像を表示するための動作モードとして、入力部が入力したｎ個の映像信号のうちの１個の映像信号を選択して、１個の表示領域に、１個の映像信号に基づく映像を表示する１画面表示モードと、入力部が入力したｎ個の映像信号のうちのｍ（ｍは２以上ｎ以下の自然数）個の映像信号を選択して、ｍ個の表示領域のそれぞれに、ｍ個の映像信号に基づく映像を表示するｍ画面表示モードとを有する表示部と、表示部の動作モードを、１画面表示モードとｍ画面表示モードとの間で切り替えるための切替部と、ｎ個の映像信号に対応して、表示部の解像度情報を含むｎ個のＥＤＩＤ情報が書き込まれた不揮発性メモリと、切替部によって表示部の動作モードが切り替えられたときには、不揮発性メモリに格納されているｎ個のＥＤＩＤ情報を、切替え後の動作モードでの表示部の解像度情報を含むｎ個のＥＤＩＤ情報にそれぞれ書き換えるための更新部とを備える。
【００１０】
好ましくは、投写型映像表示装置は、ｎ個の入力ポートのそれぞれが、ｎ個の伝送路を介してｎ個の映像信号供給装置に接続されたときには、ｎ個の伝送路を介して、ｎ個の映像信号供給装置のそれぞれに、不揮発性メモリからのｎ個のＥＤＩＤ情報の読み出しを指示するための通信部をさらに備える。通信部は、切替部によって表示部の動作モードが切り替えられたときには、ｎ個の映像信号供給装置のそれぞれに、不揮発性メモリからのｎ個のＥＤＩＤ情報の読み出しを指示する。
【発明の効果】
【００１１】
この発明によれば、複数画面表示機能を備えた投写型映像表示装置において、複数の映像を同時に表示する際の画質の劣化を防止することができる。
【図面の簡単な説明】
【００１２】
【図１】この発明の実施の形態に係る投写型映像表示装置の概略構成図である。
【図２】図１におけるプロジェクタの構成を示す図である。
【図３】本実施の形態に係るプロジェクタによる表示映像の一例を示す図である。
【図４】図２の一部を詳細に示す図である。。
【図５】図４の一部を詳細に示す図である。
【図６】図５のデジタル伝送路を用いたデジタル映像信号供給回路とプロジェクタとの間の制御シーケンスを示す図である。
【発明を実施するための形態】
【００１３】
以下、本発明の実施の形態について、図面を参照しながら詳細に説明する。なお、図中の同一または相当する部分には同一符号を付してその説明は繰返さない。
【００１４】
図１は、この発明の実施の形態に係る投写型映像表示装置により映像を投影する場合の周辺装置の構成を説明する図である。
【００１５】
図１を参照して、本実施の形態に係る投写型映像表示装置（以下、「プロジェクタ」とも記す。）１は、液晶デバイスを利用して映像を投影する液晶プロジェクタであって、スクリーン６に液晶デバイスにより表示される映像の光を投写することにより、映像を投影（表示）する。投写面は、スクリーン６に限定されず、壁面であってもよい。
【００１６】
プロジェクタ１は、ユーザが操作するリモコン（リモートコントローラの略）４から送信される赤外線変調されたリモコン信号を受信するリモコン受信部２０と、入力部９とを備える。リモコン信号には、プロジェクタ１を遠隔制御するためのコマンド信号が含まれる。入力部９は、複数の入力ポートを含み、各ポートからは異なる種類の映像信号が入力可能である。なお、本実施の形態では、簡単のため、外部の映像信号供給装置を２個とするとともに、これらの映像信号供給装置２Ｄ，２Ａに対応して、入力部９が２個の入力ポートを含むものと仮定する。
【００１７】
入力部９には、デジタル伝送路３とアナログ伝送路７とが接続される。デジタル伝送路３は、ＨＤＭＩ（High Definition Multimedia Interface）ケーブルを含む。ＨＤＭＩケーブルは、外部のデジタル信号供給装置２Ｄとプロジェクタ１との間でＨＤＭＩに従う信号を伝送する。通信ケーブルは、入力部９の入力ポートに接続される。ここでは、デジタル伝送路は、ＨＤＭＩに従ってデータ・信号を伝送する経路であるとしているが、ＤＶＩ（Digital Visual Interface）に従った伝送経路であってもよい。
【００１８】
アナログ伝送路７は、有線または無線の伝送路を含む。伝送路は、アナログ信号供給装置２Ａとプロジェクタ１との間で信号を伝送する。アナログ伝送路７は、入力部９の入力ポートに接続される。
【００１９】
ここでは、デジタル信号供給装置２Ｄは、ＤＶＤ（Digital Versatile Disc）再生装置、Ｂｌｕｅ−Ｒａｙディスク再生装置などのデジタル信号を出力するデジタル信号供給装置を想定し、アナログ信号供給装置２Ａは、コンピュータなどのアナログ信号を出力する装置を想定する。
【００２０】
説明を簡単にするため、アナログ信号供給装置２Ａから送信されるアナログ信号は映像信号であると想定し、デジタル信号供給装置２Ｄから供給されるデジタル信号は映像信号であると想定する。映像信号とともに音声信号も伝送されるが、説明を簡単にするために、音声信号の伝送およびプロジェクタ１における音声信号処理の説明は略す。
【００２１】
図２は、図１におけるプロジェクタ１の構成を示す図である。
図２を参照して、プロジェクタ１は、映像信号処理回路１０と、ＯＳＤ（On Screen Display）回路５０と，ＤＡＣ（Digital Analog Converter）１２と、マイコン（マイクロコンピュータ）１３と、液晶表示駆動部１４と、光学系１５と、電源ユニット１７と、コネクタ１９と、ランプ１６とを備える。
【００２２】
マイコン１３は、リモコン４（図１）からリモコン受信部２０を介して入力したコマンド信号に基づいて、制御指令を生成してプロジェクタ１の各部へ出力する。
【００２３】
映像信号処理回路１０は、入力部９から入力された映像信号を表示のための信号に処理して出力する。具体的には、映像信号処理回路１０は、入力部９からの映像信号を１フレーム（１画面）ごとにフレームメモリ（図示せず）に書き込むとともに、フレームメモリに記憶された映像を読み出す。そして、この書き込みと読み出しの処理の過程において、各種の映像処理を施すことにより、入力された映像信号を変換して投写映像用の映像信号である映像データを生成する。
【００２４】
ＯＳＤ回路５０は、映像信号処理回路１０から出力される映像信号に、マイコン１３から与えられる情報に基づく画像データの信号を重畳して、重畳された後に映像信号を出力する。
【００２５】
ＤＡＣ１２は、ＯＳＤ回路５０から出力された映像信号を入力し、アナログ信号に変換して液晶表示駆動部１４へ出力する。
【００２６】
液晶表示駆動部１４、光学系１５およびランプ１６は、ＤＡＣ１２から出力される映像信号に従って、マイコン１３の制御の下に、スクリーン６に映像を表示するための表示部に相当する。
【００２７】
表示部の動作について説明する。照明装置であるランプ１６は、たとえば超高圧水銀ランプ、メタルハライドランプ、キセノンランプなどからなる。ランプ１６は、コネクタ１９を介してプロジェクタ１に着脱自在に取り付けられる。ランプ１６からは、略平行光となって光が液晶表示駆動部１４に出射される。
【００２８】
液晶表示駆動部１４は、図示しないレンズおよびプリズムを含む光学系と、Ｒ，Ｇ，Ｂの各液晶パネルとを含む。液晶表示駆動部１４では、内部の図示しないレンズ系を通過したランプ１６からの光は、Ｒ，Ｇ，Ｂの各液晶パネルに光量分布が均一となるように入射する。レンズ系を介して入射された光のうち、青色波長帯の光（以下、「Ｂ光」という）、赤色波長帯の光（以下、「Ｒ光」という）、緑色波長帯の光（以下、「Ｇ光」という）は、略平行光でＲ，Ｇ，Ｂの各液晶パネルに入射する。各液晶パネルは、ＤＡＣ１２から与えられるＲ，Ｇ，Ｂに対応した映像信号に応じて駆動され、その駆動状態に応じて光を変調する。液晶パネルによって変調されたＲ光，Ｇ光，Ｂ光は、ダイクロイックプリズムによって色合成された後に、投写レンズによって、スクリーン６上に拡大投写される。投写レンズは、投写光をスクリーン６に結像させるためのレンズ群と、これらレンズ群の一部を光軸方向に変化させて投写映像のズーム状態およびフォーカス状態を調整するためのアクチュエータを備えている。
【００２９】
電源ユニット１７は、図示しないＡＣ（Alternating Current）電源のコンセントに差し込まれるプラグ１８を経由して電源が供給されて、供給された電源をプロジェクタ１内の各部に供給する。
【００３０】
ユーザは、リモコン４を用いて、種々の入力を行なうことができる。リモコン４から送信されたリモコン信号は、リモコン受信部２０を介してマイコン１３に入力されて対応する種々の処理が実行される。
【００３１】
この処理の１つとして、本実施の形態に係るプロジェクタ１は、映像信号に基づく映像を表示するための動作モードとして、入力部９の２個の入力ポートからそれぞれ入力されるアナログ信号およびデジタル信号のうちの１個の映像信号を選択して、１個の表示領域に、該１個の映像信号に基づく映像を表示する「１画面表示モード」と、アナログ信号およびデジタル信号を選択して、２個の表示領域のそれぞれに、アナログ信号に基づく映像およびデジタル信号に基づく映像を表示する「２画面表示モード」とを備えている。そして、１画面表示モードおよび２画面表示モードの間の切り替えは、後述する方法によって、リモコン４からリモコン受信部２０を介して入力された動作モードの切り替え要求に基づいて、マイコン１３が映像信号処理回路１０を制御することにより実行される。
【００３２】
図３は、本実施の形態に係るプロジェクタ１による表示映像の一例を示す図である。
図３（ａ）を参照して、１画面表示モードの実行時には、表示部（液晶パネル）の表示領域１００には、アナログ信号に基づく映像Ｇｉ＿Ａおよびデジタル信号に基づく映像Ｇｉ＿Ｄのいずれか一方が、画面全体に投影（表示）される。
【００３３】
これに対して、２画面表示モードの実行時には、図３（ｂ）に示すように、表示領域１００には、アナログ信号に基づく映像Ｇｉ＿Ａとデジタル信号に基づく映像Ｇｉ＿Ｄとが同時に表示される。同図では、映像Ｇｉ＿Ａを表示する表示領域（図中のウィンドウＷ１）と、映像Ｇｉ＿Ｂを表示する表示領域（図中のウィンドウＷ２）とが同じ大きさであって、かつ、１画面表示モードにおける表示領域１００の大きさの略１／４に相当すると想定する。
【００３４】
したがって、図２の例では、プロジェクタ１の動作モードが、１画面表示モードから２画面表示モードに切り替えられた場合には、１画面あたりの表示サイズが略１／４に縮小される。たとえば、１画面表示モードでの表示部の解像度が１０２４×７６８画素（ＸＧＡ）であれば、２画面表示モードでの１画面あたりの解像度は５１２×３８４画素となる。そのため、映像信号が１６００×１２００画素（ＵＸＧＡ）のような高い解像度を有する場合には、２画面表示モードでの映像信号の縮小率が大きくなり、該映像信号の解像度を生かしきれず、画質が劣化するという不具合が生じる。
【００３５】
また、２画面表示モードにおいては、２つの入力ポートからそれぞれ入力される２つの映像信号の解像度の各々に対して、１画面あたりの表示領域の解像度に適合させるための解像度変換が行なわれるが、この解像度変換処理には、映像データを一時的に記憶するためのメモリが必要とされる。このようなメモリは一定時間あたりに読み書きできるデータ量（メモリ帯域）が決まっているため、メモリ帯域以上の速度ではメモリに正確に読み書きすることができず、その結果、入力される映像信号の解像度には制限がかかってしまう。これにより、２つの映像信号がともに高解像度を有する信号である場合には、かかる制限を受けて映像を表示できないといった問題が生じる。
【００３６】
このような不具合を回避して、動作モードに拘わらず良好な映像表示が安定して行なわれるようにするために、本実施の形態に係るプロジェクタ１では、プロジェクタ１の表示能力や仕様を示すＥＤＩＤ（Extended Display Identification Data）情報に含まれる、プロジェクタ１が表示可能な解像度情報を、プロジェクタ１の動作モードの切り替えに応じて、切り替え後の動作モードにおいてプロジェクタ１が表示可能な解像度情報に更新する。以下に、図４から図６を参照して、本実施の形態に係るプロジェクタ１の動作を説明する。
【００３７】
（プロジェクタの動作について）
図４は、図２の一部（入力部９、映像信号処理回路１０）を詳細に示す図である。
【００３８】
図４を参照して、入力部９は、入力ポート９Ｄ，９Ａを含む。入力ポート９Ｄには、デジタル伝送路３の伝送路（有線または無線）によってデジタル信号供給装置２Ｄが接続される。入力ポート９Ａには、アナログ伝送路７の通信ケーブルによってアナログ信号供給装置２Ａが接続される。各入力ポートには、接続されたアナログまたはデジタル信号供給装置２Ａまたは２Ｄからアナログまたはデジタル映像信号が供給されて、供給された映像信号を入力する。
【００３９】
映像信号処理回路１０は、ＥＤＩＤメモリ２０Ｄ，２０Ａと、デジタル信号処理部２２と、スケーリング部２６，２８と、Ａ／Ｄコンバータ２４と、２画面合成部３０とを含む。
【００４０】
ＥＤＩＤメモリ２０Ｄは、不揮発性メモリであり、デジタル映像信号に対応したＥＤＩＤ情報が書き込まれている。ＥＤＩＤメモリ２０Ｄは、入力ポート９Ｄに接続されており、入力ポート９Ｄがデジタル伝送路３を介してデジタル信号供給装置２Ｄに接続されたときには、デジタル映像信号に対応したＥＤＩＤ情報を、デジタル信号供給装置２Ｄへ送信することができる。
【００４１】
ＥＤＩＤメモリ２０Ａは、不揮発性メモリであり、アナログ映像信号に対応したＥＤＩＤ情報が書き込まれている。ＥＤＩＤメモリ２０Ａは、入力ポート９Ａに接続されており、入力ポート９Ｄがデジタル伝送路３を介してデジタル信号供給装置２Ｄに接続されたときには、アナログ映像信号に対応したＥＤＩＤ情報を、アナログ信号供給装置２Ａへ送信することができる。
【００４２】
ＥＤＩＤ情報には、プロジェクタ１の表示能力や仕様を示すものとして、プロジェクタ１の表示可能な解像度（映像の情報）、オーディオストリーム情報（音声形式などの音声の情報）、製造番号などの機器固有の情報などが含まれている。マイコン１３は、プロジェクタ１の動作モードが１画面表示モードと２画面表示モードとの間で切り替えられたときには、後述する方法によって、ＥＤＩＤメモリ２０Ｄ，２０Ａにそれぞれ書き込まれているＥＤＩＤ情報の更新を実行する。
【００４３】
デジタル信号処理部２２は、入力ポート９Ｄから入力されたデジタル映像信号を表示のための信号に処理して出力する。具体的には、デジタル信号処理部２２は、デジタル映像信号を１フレーム（１画面）ごとにフレームメモリ（図示せず）に書き込むとともに、フレームメモリに記憶された映像を読み出す。そして、この書き込みと読み出しの処理の過程において、各種の映像処理を施すことにより、入力されたデジタル映像信号を変換して表示用の映像信号である映像データを生成する。
【００４４】
スケーリング部２６は、１画面表示モードでの表示部の解像度（本実施の形態では、「１０２４×７６８画素（ＸＧＡ）」とする。）を基準（以下、「基準表示サイズ」とも称する。）として、基準表示サイズ以下の予め設定される所望の表示サイズに応じて、デジタル映像信号の表す映像の解像度の変換処理を実行する。この解像度変換処理によって、スケーリング部２６は、表示部の解像度以下の解像度を有する表示用の映像を表す映像データを生成する。
【００４５】
また、プロジェクタ１の動作モードが１画面表示モードから２画面表示モードに切り替わったときには、スケーリング部２６は、マイコン１３からの指示に従って、１画面あたりの表示サイズ（本実施の形態では、「５１２×３８４画素」とする。）に応じて、デジタル映像信号の表す映像の解像度の変換処理を実行する。
【００４６】
Ａ／Ｄコンバータ２４は、入力ポート９Ａから入力されたアナログ映像信号を、デジタル信号に変換し、変換後の信号をスケーリング部２８に出力する。
【００４７】
スケーリング部２８は、基準表示サイズ以下の予め設定される所望の表示サイズに応じて、アナログ映像信号の表す映像の解像度の変換処理を実行する。この解像度変換処理によって、スケーリング部２８は、表示部の解像度以下の解像度を有する表示用の映像を表す映像データを生成する。
【００４８】
また、プロジェクタ１の動作モードが１画面表示モードから２画面表示モードに切り替わったときには、スケーリング部２８は、マイコン１３からの指示に従って、１画面あたりの表示サイズ（本実施の形態では、「５１２×３８４画素」とする。）に応じて、アナログ映像信号の表す映像の解像度の変換処理を実行する。
【００４９】
スケーリング部２６とスケーリング部２８とで生成された映像データは、２画面合成部３０に与えられる。２画面合成部３０は、２画面表示モードの実行中には、与えられる２個の映像データに基づき、スクリーン６に表示する１フレーム分のデジタルの映像信号を合成する。合成して得られた１フレーム分の映像信号は、ＯＳＤ回路５０を経由してＤＡＣ１２に出力される。
【００５０】
これに対して、１画面表示モードの実行中には、２画面合成部３０は、スケーリング部２６および２８のいずれか一方から与えられる１個の映像データに基づき、スクリーン６に表示する１フレーム分のデジタルの映像信号を生成する。生成された１フレーム分の映像信号は、ＯＳＤ回路５０を経由してＤＡＣ１２に出力される。
【００５１】
図４によれば、１画面表示モードの実行中には、入力ポート９Ｄ，９Ａのいずれかに与えられる映像信号を画面全体に表示でき、２画面表示モードの実行中には、入力ポート９Ｄに与えられる映像信号および入力ポート９Ａに与えられる映像信号を同時に表示することができる。
【００５２】
（ＥＤＩＤ情報の更新について）
図５および図６を参照して、図４のＥＤＩＤメモリ２０Ｄ，２０Ａに格納されるＥＤＩＤ情報の更新の手順を説明する。
【００５３】
図５は、図４の一部（デジタル伝送路３、入力ポート９Ｄ、ＥＤＩＤメモリ２０Ｄ）を詳細に示す図である。
【００５４】
図５を参照して、デジタル伝送路（ＨＤＭＩケーブル）３は、ＴＭＤＳ（Transition Minimized Differential Signaling）方式でデジタル信号供給装置２Ｄの映像信号をプロジェクタ１に送信するためのＴＭＤＳラインＬ１と、デジタル信号供給装置２Ｄがプロジェクタ１とのデジタル伝送路３（通信ケーブル）による接続の有無を検出するためのＨＰＤ（Hot Plug Detector）ラインＬ２と、デジタル信号供給装置２Ｄとプロジェクタ１との間での制御やステータスの双方向通信を行うためのＤＤＣ（Display Data Channel）ラインＬ３とを有している。ＨＤＭＩケーブル３のＤＤＣラインＬ３によって、デジタル信号供給装置２Ｄがプロジェクタ１からＥＤＩＤ情報を読み出すことが可能になっている。
【００５５】
図６は、図５のデジタル伝送路３を用いたデジタル映像信号供給回路２Ｄとプロジェクタ１との間の制御シーケンスを示す図である。
【００５６】
図６を参照して、デジタル信号供給装置２Ｄおよびプロジェクタ１がＨＤＭＩケーブル３にて接続され両装置の電源がオンになると、プロジェクタ１内部のマイコン１３は、ホットプラグ検出信号をＬｏｗからＨｉｇｈにする。
【００５７】
デジタル信号供給装置２Ｄ内部の制御部（図示せず）は、ＨＰＤラインＬ２上のホットプラグ検出信号を常時監視しており、ホットプラグ検出信号がＬｏｗからＨｉｇｈに変化したことを検出すると、デジタル信号供給装置２Ｄとプロジェクタ１とが物理的に接続され、かつＥＤＩＤ情報が読み出し可能状態であると判断し、ＥＤＩＤメモリ２０ＤからＥＤＩＤ情報を読み出す。なお、マイコン１３は、ホットプラグ検出信号の状態を変更する。たとえば、デジタル信号供給装置２Ｄの映像信号が表示すべき映像信号として選択状態にある場合には、ホットプラグ検出信号の状態をＨｉｇｈに設定する。一方、デジタル信号供給装置２Ｄの映像信号が非選択状態にある場合には、マイコン１３は、ホットプラグ検出信号の状態をＬｏｗに設定する。デジタル信号供給装置２Ｄは、ホットプラグ検出信号がＨｉｇｈ状態のときにのみ、ＥＤＩＤメモリ２０ＤからのＥＤＩＤ情報の読み出しが許容され、ホットプラグ検出信号がＬｏｗ状態のときにはＥＤＩＤ情報の読み出しが許容されない。これは、例えば、ＨＤＭＩの規格を規定した［HDMI Ver1.3 Specification］において規定されている。
【００５８】
次に、デジタル信号供給装置２Ｄの制御部は、ＥＤＩＤメモリ２０Ｄから読み出したＥＤＩＤ情報に含まれるプロジェクタ１の表示部の解像度情報を取得すると、取得した表示部の解像度に適合するように、出力する映像信号の解像度を選択する。これにより、映像信号は、図示しない映像処理部によって表示部の解像度に適合した所望の解像度に処理された後に、ＴＭＤＳラインＬ１を介してプロジェクタ１の入力ポート９Ｄに入力される。
【００５９】
ここで、プロジェクタ１においては、マイコン１３が、リモコン受信部２０を介して動作モードの切り替えを要求するコマンド信号を受けたものと想定する。マイコン１３は、コマンド信号を受けると、ＥＤＩＤメモリ２０Ｄに格納されているＥＤＩＤ情報に含まれる表示部の解像度情報を、切り替え後の動作モードにおいてプロジェクタ１が表示可能な解像度情報に更新する。
【００６０】
具体的には、プロジェクタ１の動作モードが１画面表示モードから２画面表示モードに切り替えられた場合には、マイコン１３は、ＥＤＩＤメモリ２０Ｄを制御することにより、ＥＤＩＤ情報に含まれる１画面表示モードでの表示部の解像度（１０２４×７６８画素（ＸＧＡ））を、２画面表示モードでの表示部の解像度（５１２×３８４画素）に書き換える。
【００６１】
ＥＤＩＤ情報の更新が終了すると、マイコン１３は、ホットプラグ検出信号をＬｏｗからＨｉｇｈにする。デジタル信号供給装置２Ｄ内部の制御部は、ホットプラグ検出信号がＬｏｗからＨｉｇｈに変化したことを検出すると、ＥＤＩＤ情報が読み出し可能状態であると判断し、ＥＤＩＤメモリ２０ＤからＥＤＩＤ情報を読み出す。
【００６２】
これにより、デジタル信号供給装置２Ｄでは、更新後のＥＤＩＤ情報が読み出されることにより、更新後のＥＤＩＤ情報に含まれる切り替え後の動作モードでの表示部の解像度情報が取得される。したがって、映像信号は、切り替え後の動作モードでの表示部の解像度に適合した所望の解像度に処理され、ＴＭＤＳラインＬ１を介してプロジェクタ１の入力ポート９Ｄに入力される。
【００６３】
このように、本実施の形態に係るプロジェクタ１によれば、動作モードが切り替えられたときには、ＥＤＩＤ情報が、切り替え後の動作モードでの表示部の解像度情報を含むＥＤＩＤ情報に更新されるとともに、デジタル信号供給装置２Ｄに対して更新後のＥＤＩＤ情報の再読み出しが指示される。このような構成としたことにより、プロジェクタ１の動作モードの切り替えにより表示可能な解像度が変化するにも拘わらず、デジタル信号供給装置２Ｄからは、表示部の解像度に適合した解像度を有する映像信号が安定して供給されることとなる。この結果、動作モードの切り替えによる画質の劣化を防止できるため、良好な映像表示を安定して行なうことが可能となる。
【００６４】
なお、本実施の形態では、プロジェクタ１は、リモコン４により遠隔制御されるとしているが、プロジェクタ１に操作パネルを設けて、ユーザは操作パネルを操作してコマンドを入力してもよい。
【００６５】
また、異なる映像信号を表示する表示領域の配置は、図３のように横に並列させる態様に限定されず、縦に並列させる態様であってもよい。また、表示領域のサイズは、図３のように同じサイズであってもよいが、異なるサイズであってもよい。また、各表示領域に表示する映像は、動画または静止画のいずれでも適用可能である。
【００６６】
また、本実施の形態では、入力ポート数が２個とし、かつ、スクリーン６に異なる２個の映像信号を表示する２画面表示モードとした例について説明したが、これに限定されず、入力ポート数をｎ個（ｎは２以上の自然数）とし、かつ、ｍ個（ｍは２以上ｎ以下の自然数）の異なる映像信号を同時に表示する複数画面表示モードについて本実施の形態を広く適用することが可能である。
【００６７】
また、本実施の形態では、プロジェクタとして液晶プロジェクタを採用したが、これに限定されるものではない。たとえば、ＤＬＰ（Digital Light Processing）（登録商標）方式のプロジェクタ等の他の方式のプロジェクタに本発明の技術を採用してもよい。
【００６８】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【００６９】
１  プロジェクタ、２Ａ  アナログ信号供給装置、２Ｄ  デジタル信号供給装置、２０Ａ，２０Ｄ  ＥＤＩＤメモリ、３  デジタル伝送路、４  リモコン、６  スクリーン、７  アナログ伝送路、９Ａ，９Ｄ  入力ポート、９  入力部、１０  映像信号処理回路、１３  マイコン、１４  液晶表示駆動部、１５  光学系、１６  ランプ、１７  電源ユニット、１８  プラグ、１９  コネクタ、２０  リモコン受信部、２２  デジタル信号処理部、２４  Ａ／Ｄコンバータ、２６，２８  スケーリング部、３０  ２画面合成部、５０  ＯＳＤ回路、Ｗ１，Ｗ２  ウィンドウ。
【図１】
2011081188.tif 000003
【図２】
2011081188.tif 000004
【図３】
2011081188.tif 000005
【図４】
2011081188.tif 000006
【図５】
2011081188.tif 000007
【図６】
2011081188.tif 000008